(57)【要約】本発明は、上部液体透過性カバーシート（２）、下部液体不透過性カバーシート（３）、及びそれらのカバーシート（２，３）の間に配置された吸収体（４）を含む吸収物品（１）であって、前記物品（１）が縦方向、その縦方向に前部分（５）、後部分（７）、及び前記部分（５，７）の間に配置された中央部分（６）を規定し、前記物品（１）が各縦方向側部に沿って第一及び第二側部バリヤー（８，９）をさらに含み、各側部バリヤー（８，９）が少なくとも一つの縦方向弾性要素（１０，１１；１４，１５）を含み、前記第一及び第二側部バリヤー（８，９）が上から見ると、前記弾性要素（１０，１１，１４，１５）の間の物品（１）の横方向における距離が前記前部分（５）においてより前記後部分（７）において大きいように前記前部分（５）に向かう方向で狭くなる形状を規定する。本発明によれば、各側部バリヤー（８，９）は、それが前記前部分（５）と接触して固定されるとき、それが前記物品（１）の内側の方へ向けられた折り目（２２，２３）を有する実質的にＺ形状の横断面の折りたたまれた構造を規定するように、配置される。本発明は、緩い走る排泄物の漏出を効果的に防止し、かつ良好適合性を与えて使用者上に位置させやすい、主に極めて小さい幼児のためのおむつの形の改良された吸収物品を提供する。
2006520250.tif 000002
【特許請求の範囲】
【請求項１】
上部液体透過性カバーシート（２）、下部液体不透過性カバーシート（３）、及びそれらのカバーシート（２，３）の間に配置された吸収体（４）を含む吸収物品（１）であって、前記物品（１）が縦方向、その縦方向に前部分（５）、後部分（７）、及び前記部分（５，７）の間に配置された中央部分（６）を規定し、前記物品（１）が各縦方向側部に沿って第一及び第二側部バリヤー（８，９）をさらに含み、各側部バリヤー（８，９）が少なくとも一つの縦方向弾性要素（１０，１１；１４，１５）を含み、前記第一及び第二側部バリヤー（８，９）が上から見ると、前記弾性要素（１０，１１，１４，１５）の間の物品（１）の横方向における距離が前記前部分（５）においてより前記後部分（７）において大きいように前記前部分（５）に向かう方向で狭くなる形状を規定するものにおいて、各側部バリヤー（８，９）が、それが前記前部分（５）と接触して固定されるとき、それが前記物品（１）の内側の方へ向けられた折り目（２２，２３）を有する実質的にＺ形状の横断面の折りたたまれた構造を規定するように、配置されることを特徴とする吸収物品（１）。
【請求項２】
第一側部バリヤー（８）が第一縦方向折り目（８ａ）が規定されるように前記カバーシート（２）に固定されること、及び前記第二側部バリヤー（９）が第二縦方向折り目（９ａ）が規定されるように前記カバーシート（２）に固定されることを特徴とする請求項１に記載の吸収物品（１）。
【請求項３】
第一側部バリヤー（８）における弾性要素（１０，１１）が上から見ると、第一縦方向折り目（８ａ）の外側で前記後部分（７）に固定されること、及び第二側部バリヤー（９）における弾性要素（１４，１５）が上から見ると、第二縦方向折り目（９ａ）の外側で前記後部分（７）に固定されることを特徴とする請求項２に記載の吸収物品（１）。
【請求項４】
吸収物品（１）が前記後部分（７）に形成された後部バリヤー（１６）を含み、その後部バリヤー（１６）が前記物品（１）に沿って後方に体排泄物を取り込むために意図されることを特徴とする請求項１〜３のいずれかに記載の吸収物品（１）。
【請求項５】
前記後部バリヤー（１６）がさらなる弾性要素（１７）を含むことを特徴とする請求項４に記載の吸収物品（１）。
【請求項６】
前記さらなる弾性要素（１７）が取り付け点を含み、その取り付け点が上から見ると、外側に延びかつ前記側部バリヤー（８，９）において弾性要素（１０，１４）の後部取り付け点（１０ｂ，１４ｂ）に重なり、バリヤーが前記物品（１）の縦方向側部及び後部側部に沿って規定されることを特徴とする請求項５に記載の吸収物品（１）。
【請求項７】
前記第一側部バリヤー（８）が第一弾性要素（１０）及び第二弾性要素（１１）を含むこと、前記第二側部バリヤー（９）が第三弾性要素（１４）及び第四弾性要素（１５）を含み、前記第一弾性要素（１０）が前記物品（１）の縦方向対称軸に関して見ると第二弾性要素（１１）の外側に延び、前記第三弾性要素（１４）が前記縦方向対称軸に関して見ると第四弾性要素（１５）の外側に延びることを特徴とする請求項１〜６のいずれかに記載の吸収物品（１）。
【請求項８】
側部バリヤー（８，９）の弾性要素（１０，１４）間の距離が前記前部分（５）においてより前記後部分（７）において少なくとも２倍、好ましくは３倍大きいことを特徴とする請求項１〜７のいずれかに記載の吸収物品（１）。
【請求項９】
前記物品（１）の内側に最も近い側部バリヤー（８，９）の弾性要素（１１ａ，１５ａ）の部分間の距離が前記前部分（５）において１〜３ｃｍの範囲内であることを特徴とする請求項１〜８のいずれかに記載の吸収物品（１）。
【請求項１０】
前記弾性要素（１１，１５）が各側部バリヤー（８，９）において前記折り目（２２，２３）と少なくとも部分的に接触して走ることを特徴とする請求項１〜９のいずれかに記載の吸収物品（１）。
【請求項１１】
前記第一及び第二側部バリヤー（８，９）が独力で組み合わされた側部漏出保護及び前記物品（１）のための脚弾性体を構成することを特徴とする請求項１〜１０のいずれかに記載の吸収物品（１）。
【請求項１２】
前記弾性要素（１０，１１，１４，１５）が弾性糸からなることを特徴とする請求項１〜１１のいずれかに記載の吸収物品（１）。
【発明の詳細な説明】
【技術分野】
【０００１】
本発明は、上部液体透過性カバーシート、下部液体不透過性カバーシート、及びそれらのカバーシートの間に配置された吸収体を含む吸収物品であって、前記物品が縦方向、その縦方向に前部分、後部分、及び前記部分の間に配置された中央部分を規定し、前記物品が各縦方向側部に沿って第一及び第二側部バリヤーをさらに含み、各側部バリヤーが少なくとも一つの縦方向弾性要素を含み、前記第一及び第二側部バリヤーが上から見ると、前記弾性要素の間の物品の横方向における距離が前記前部分においてより前記後部分において大きいように前記前部分に向かう方向で狭くなる形状を規定するものに関する。
【背景技術】
【０００２】
おむつ、成人用失禁プロテクタ、及び衛生ナプキンの如き吸収物品と関連して、迅速かつ効果的な態様で体排泄物を取り込み、分配し、吸収することができる材料及び構造に対する一般的な要求が長くなされている。今日の吸収物品は吸収物品を装着する人にとって低い漏出の危険及び高い快適度で良好な吸収性を持つことが一般的である。
【０００３】
迅速かつ効果的な吸収性のための要求は少なくとも極めて小さい幼児のため及び未熟児（妊娠が完全な期間を達成する前に生まれた赤ちゃん）のために重要ではない。この関連において、幼児及び未熟児は一貫して緩い流れるような排泄物を生み出すことに注意されるべきである。今日の幼児用おむつを用いると、この緩い排泄物は股領域の側部で使用者の脚の方へ、そしておむつを装着する人の背中に沿って漏出する危険がある。かかる漏出は例えば衣服及びシーツ、枕カバーの汚れの危険を伴うかもしれない。一般に、幼児用おむつと関連して、排泄された物質を取り込む能力に対する要求がずっと大きいことが述べられている。
【０００４】
従来技術によれば、幼児用おむつは通常、上部液体透過性カバーシート及び下部液体不透過性カバーシートから作られる。吸収体はこれらのカバーシートの間に配置される。尿及び排泄物が側部で、おむつの横方向に漏出することを防止するために、おむつは通常、おむつの縦方向に各側に沿って延びる二つの側部バリヤーを与えられる。さらに、これらの側部バリヤーはそれらがおむつの表面からわずかに隆起されるように設計される。側部バリヤーはバリヤーに所望の形状を与えるために糸又はバンドの如き縦方向弾性要素を与えられることができる。これらの縦方向バリヤーを持つのに加えて、今日のおむつは通常、側縁に沿って、特に使用者の股の領域にさらなる縦方向要素を与えられる。これらのさらなる縦方向要素はまた、弾性要素で作られ、いわゆる脚弾性体を構成し、それはおむつが十分に適合しかつ使用者の脚に対して封止を与えることを確実にすることを意図される。
【０００５】
極めて小さい幼児又は未熟児（彼らは１ｋｇのオーダの体重を有してもよい）に使用されることを意図されるおむつに関して、上述の知られたタイプのおむつ構成をやめることが必要である。特に、できるだけ少量の材料を使用するおむつを使用する必要性があり、さらに材料は子供の皮膚に対して特に柔らかくかつ優しくなければならない。この理由のため、別個の側部バリヤー及び脚弾性体を有する上述の構造は例えば未熟児のために意図されたおむつのために好適であるようには見えない。
【０００６】
特許文献ＥＰ  ９５１８９０はおむつの各側に沿って向けられた二つの側部バリヤーを含むタイプのものであるおむつの形の吸収物品を開示する。側部バリヤーの各々は二つの縦方向弾性要素を含む。この配置は、各側部バリヤーが隆起され、さらに各側部バリヤーの内側に二つの縦方向溝を形成する、構造を与える。尿及び排泄物の横方向の漏出の危険はこのようにして低下される。この公知のおむつは脚弾性体及び別個の側部バリヤーの両方を含むタイプとは対照的に、一つだけの側部バリヤーを有する構造を持つことに注意されるべきである。
【０００７】
ＥＰ  ９５１８９０に記載されたおむつは基本的に満足のいく機能を与えるが、極めて小さな幼児に使用されるタイプのおむつ、特に未熟児に使用されるタイプのおむつにおいて緩い排泄物のさらに改良された取り込み、分配及び吸収に対する要求がある。特に、緩い排泄物の使用者の脚に向かう横方向の漏出の危険を減らす必要がある。横方向の漏出に対する信頼性ある保護の必要性に加えて、後部における及び使用者の背中に向かう排泄物の漏出の危険の低下に関して対応する要求がある。さらに、問題のおむつのタイプが良好な適合を与えることが特に要求される。
【発明の開示】
【０００８】
本発明の主要な目的は上述の要求及び必要性が満足される改良された吸収物品を利用可能にすることである。特に、本発明の目的は極めて小さい幼児及び未熟児のためにおむつの形の吸収物品を利用可能にすることであり、それは各側に沿って一つだけの側部バリヤーを有する構造を使用し、かつ横方向及び物品の後部の両方において尿及び排泄物の漏出を効果的に防止するものである。
【０００９】
上述の目的は、冒頭で述べられたタイプの吸収物品であって、各側部バリヤーが、それが前記前部分と接触して固定されるとき、それが前記物品の内側の方へ向けられた折り目を有する実質的にＺ形状の横断面の折りたたまれた構造を規定するように、配置されることを特徴とする吸収物品で達成される。
【００１０】
本発明は特定の利点を提供する。特に、本発明は小さい子供に位置させやすいおむつの如き吸収物品を利用可能にする可能性を提供し、それが良好な適合性を与え、かつ横方向及びおむつの後部の両方の良好な漏出保護を与えることに注意されるべきである。本発明はまた、横方向の漏出保護及び脚弾性体の組み合わされた機能を提供し、それによって材料に関する節約を可能にし、物品を軽量で使用者に対して柔軟なものとする。特に、側部バリヤーの弾性要素の上述の狭くなる形状は、物品の前部分における各側部バリヤーのＺ形状に折りたたまれた取り付けと組み合わせて、各側部バリヤーが使用中、おむつの表面に関して極めて明確にかつ効果的に隆起されることを意味する。さらに、使用者の解剖学的形状に信頼性ある方法で適応しかつ良好な適合に寄与するカップ形状がかくして形成される。さらに、本発明に従って設計されたおむつは簡単で製造が安価である。
【００１１】
図面の記述
本発明は好ましい例及び添付図面を参照して以下に記載されるだろう。
図１は本発明が使用されることができるおむつの形の吸収物品の透視図を示す。
図２は図１によるおむつの概略的で幾分簡略化した平面図を示す。
図３は図１及び２によるおむつの後部のわずかに拡大された透視図を示す。
図４は図１〜３によるおむつの前部の横断面図を示す。
【発明を実施するための最良の形態】
【００１２】
本発明は好ましい実施態様を参照して記載されるだろう。図１からわかるように、本発明による吸収物品は幼児のための使い捨てタイプのおむつ１であることが好ましい。おむつ１は液体透過性上部シート２を構成する第一カバーシートを含む。上部シート２は使用中おむつを装着する人の方へ向けられることを意図されるおむつ１の側上に配置される。おむつ１は使用中使用者から離れて向けられること（即ち、おむつの下側）を意図される液密下部シート３を構成する第二カバーシートをさらに含む。吸収体４は上部シート２と下部シート３の間に配置される。吸収体４は基本的にはそれ自体知られたタイプからなり、おむつ１の表面上の液体排泄物を迅速に取り込み、またかかる排泄物を吸収体４の下部吸収構造に運ぶように設計されている。それ自体既に知られているように、吸収体４は例えば柔らかい詰物材料を含むことができ、それは上部シート２を通過する液体排泄物及び尿を運搬し分配するための層として機能する。この詰物材料の下には、吸収体４は体排泄物を最適に取り込みかつ貯蔵する高吸収材料を含むことが好ましい。可能な変形例では、吸収体４は超吸収材と称するもの、液体の吸収の特に高い程度を有するものを含むことができる。吸収体４のデザインは原則として従来公知の技術に従い、様々な材料、例えば異なる合成及び天然繊維、又は繊維組み合わせを含むことができ、吸収体４は異なる材料層によって又は体液の取り込み、分散及び貯蔵に関して良好な特性を有する単一層によって規定されることができる。
【００１３】
図１による液体透過性上部シート２は柔らかい不織材料からなることが好ましいが、それは代替的に他の材料又は材料積層体からなることができる。例えば、それは有孔プラスチックフィルム、例えばポリエチレン又はポリプロピレンの如き熱可撓性材料のもの、又は合成又は繊維材料のネット状層からなることができる。同様に、様々なタイプの好適な材料の積層体を液体透過性上部シートとして使用することができる。使用される不織材料は天然繊維、例えばセルロース繊維又は綿繊維、又はポリエチレン、ポリプロピレン、ポリエステル、ナイロンなどの合成繊維の不織繊維層であることが好ましい。さらに、異なる繊維タイプの混合物を前記不織材料のために使用することができる。
【００１４】
上部シート２及び下部シート３は好適な接合方法、例えば接着剤結合又は超音波溶接の助けで一緒に接合されることができる（吸収体４はこれらの層の間に配置される）。
【００１５】
従って、不織材料から作られた上部シート２が好ましく使用されるが、選択された材料にかかわらず、上部シート２はそれ自体公知の方法で使用者から液体排泄物を受け取って通過させ、これらを下にある吸収体４へ下方に運ぶことを意図される。吸収体４をさらに通る漏出は下にある液体不透過性下部シート３によって防止され、そのシートは好ましくは薄い液密プラスチックフィルムの形の液体不透過性材料から作られる。例えば、ポリエチレン、ポリプロピレン又はポリエステルから作られたプラスチックフィルムを使用することができる。呼吸性であるタイプの材料が下部シート３のために使用されることが好ましい。さらに、好適な材料層を含む積層体が液密下部シート３として使用されることができる。
【００１６】
図１からわかるように、おむつ１は基本的に細長い形状を有し、一般に使用時に幼児の胴体下部のまわりに適合するように形成される。この目的のため、おむつ１はそれがその縦方向において前部分５、中央部分６、及び後部分７を規定するように設計される。おむつ１の使用時には、前部分５はそれが使用者の腹の方へ向けられかつ下方へ鼠蹊領域の方へ向けられるように位置されるが、股部分６は基本的に使用者の股の下に直接位置され、後部分７はそれが使用者の尻の方へ向けられるように位置される。上述の部分５，６，７の間の境界は正確な寸法で規定される必要はなく、それらは例えば特定の横方向の位置で生じず、代わりに広げられた移行領域に沿って生じる。
【００１７】
おむつ１の機能、寸法及びデザインに関して、特に未熟児（換言すれば妊娠の完全な期間前に生まれた赤ちゃん）を含む極めて小さな幼児に使用されるように設計される。この理由のため、本発明によるおむつ１は特に緩い走る排泄物の形の体排泄物のおむつ１の横方向、即ち使用者の脚に向かう側方の漏出を防止するために特別な側部バリヤー構造を伴って設計される。特に、本発明によるおむつ１はそれゆえ二つの細長い縦方向側縁を伴って設計され、それらはおむつ１の各側に沿って第一弾性側部バリヤー８及び第二弾性側部バリヤー９を形成する。以下に詳細に記載されるように、これらの側部バリヤー８，９は尿及び排泄物がおむつ１から使用者の脚に向かって漏出することを防止する。
【００１８】
二つの側部バリヤー８，９は好ましくは疎水性不織材料から作られ、吸収体４の各縦方向縁から上方へ延び、かくしておむつ１が使用されるとき、それらは尿及び排泄物の漏出を防止するために使用者の脚の内側に対して支持しかつそれに対して封止を与える弾性壁又はバリヤーを規定する。別個の側部バリヤー及び脚弾性体構成成分を通常含む公知のおむつとは対照的に、本発明の基本的特徴は二つの側部バリヤー８，９がそれ自身で組み合わされた側部漏出保護及び脚弾性体を構成することである。
【００１９】
第一側部バリヤー８は第一弾性要素１０及び第二弾性要素１１を与えられる。第一弾性要素１０は好ましくは弾性糸からなり、それは第一側部バリヤー８の縁の近くに固定され、かつおむつ１の前縁１２及び後縁１３のそれぞれの上に二つの取り付け点１０ａ，１０ｂの間に走る。第二弾性要素１１もまた、好ましくは弾性糸からなり、それは第一弾性要素１０と側部バリヤー８の下縁の間に延び、かつおむつ１の前縁１２及び後縁１３のそれぞれの上に二つの取り付け点１１ａ，１１ｂの間に走る。二つの弾性要素１０，１１は好ましくは第一側部バリヤー８に沿った点で取り付けられる。しかしながら、本発明はかかる取り付けなしで、即ち弾性要素１０，１１が代わりに第一側部バリヤー８に沿って自由に走ることを可能とすることができるように、実現されることもできる。
【００２０】
対応するように、第二側部バリヤー９は第三弾性要素１４及び第四弾性要素１５を与えられる。第三弾性要素１４は好ましくは弾性糸からなり、それは第二側部バリヤー９の縁の近くに配置され、おむつ１の前縁１２及び後縁１３のそれぞれの上の二つの取り付け点１４ａ，１４ｂの間に走る。第四弾性要素１５もまた、弾性糸からなり、それは第三弾性要素１４と第二側部バリヤー９の下縁の間に延び、かつおむつ１の前縁１２及び後縁１３のそれぞれの上の二つの取り付け点１５ａ，１５ｂの間に走る。上で記載されたものと類似の方法では、第三及び第四弾性要素１４，１５はまた、第二側部バリヤー９に沿った点に取り付けられることが好ましいが、代替的にそれらはまた、第二側部バリヤー９に沿って自由に走ることを可能とされる。弾性要素１０，１１，１４，１５の取り付けは好ましくは接着剤結合によって、代替的には超音波溶接によってなされる。かかる取り付け方法はそれ自体既に公知であり、それゆえここで詳細に記載されない。
【００２１】
二つの側部バリヤー８，９は好適な方法で、例えば超音波溶接又は接着剤結合によって上部シート２に固定される。この方法では第一側部バリヤー８が上部シート２に会う第一縦方向折り目８ａが形成され、第二側部バリヤー９が上部シート２に会う第二縦方向折り目９ａが形成される。
【００２２】
おむつ１が横方向における漏出に対する安全性を与えるために意図されることに加えて、二つの側部バリヤー８，９の重要な目的はおむつが漏出防止態様で使用者の尻を包囲することに寄与することである。これは側部バリヤー８，９がおむつ１の後部の腰開口でのさらなる漏出保護と協働することによって達成されることが好ましい。図１を参照すると、本発明によるおむつ１はおむつ１の後部分７の後の領域においておむつ１の縦方向に対して横方向に走る後部バリヤー１６を含むことが見られるだろう。この後部バリヤー１６の目的は主に緩い排泄物の後方向、即ち使用者の背中に向かって上への漏出の危険を低下することである。この目的のため、後部バリヤー１６は好ましくは第五弾性要素１７を与えられ、それは好ましくは上述の弾性要素１０，１１，１４，１５のように、後部バリヤー１６の縁に沿って走る弾性糸からなり、弾性糸は上述の弾性要素１０，１１，１４，１５の全てを横切って延びる。第五弾性要素１７は図１に示された態様で二つの取り付け点１７ａ，１７ｂで終わる。
【００２３】
この方法では、後部バリヤー１６はおむつ１の後部にポケットを規定し、かつ二つの側部バリヤー８，９と協働してそれらが一緒におむつ１の側部及び後部に沿って弾性バリヤーを形成する。おむつ１は第五弾性要素１７のための外部取り付け点１７ａ，１７ｂが上から見ると外部弾性要素１０，１４の後部取り付け点１０ｂ，１４ｂの外側に位置されるように設計されることが好ましい。
【００２４】
さらに、図１から各側部バリヤー８，９がおむつの前記前部分５と接触して固定されるような方法で配置されることがわかるだろう。さらに正確には、各側部バリヤー８，９は実質的にＺ形状の横断面の構造を規定するような方法で固定される。即ち、側部バリヤー８，９は前縁と接触して折りたたまれ、このＺ形状形態で固定される。本発明のこの特徴は図４を参照してさらに詳細に記載されるが、おむつ１を使用時に容易に開けることを助ける。
【００２５】
後部バリヤー１６はまた、二つの側部バリヤー８，９の間で有利な方法で使用者の尻を包囲するように設計され、それらのバリヤーはおむつ１の後部で互いから相対的に大きな距離に置かれる。さらに、後部バリヤー１６のこのデザインはおむつ１の後方及び後縁上の排泄物及び尿の漏出に対してしっかりとした封止を与える。このデザインのさらなる利点はおむつ１が使用者に適合するのが極めて容易であることである。
【００２６】
おむつ１を使用者上で適合するのをより容易にするために、それはおむつ１の後部分７に配置される二つのテープ状固定ストリップ１８，１９を伴って設計される。固定ストリップ１８，１９は協働しておむつ１の前部分５において対応する固定領域２０，２１（それらは破線によって象徴的に示される）に対して信頼性のある方法で固定されることを意図される。固定ストリップ１８，１９は固定ストリップ１８，１９が例えば好適な接着剤を与えられることによって、又はそれらがベルクロタイプの固定手段として又は他の好適な態様で設計されることによって固定領域２０，２１上に固定されることができる。図１に示された固定領域２０，２１に対する代替策として、おむつ１は単一の固定領域を与えられることができ、それはそのときおむつの前部分上の中央に位置されることができる。これはおむつ１の改良された適合に寄与する。
【００２７】
図１では、本発明によるおむつ１は使用時に表われるように示される。図は各側部バリヤー８，９がおむつ１の上部シート２から相対的に高く隆起されることを示す。おむつ１は従来のおむつのようにいかなる別個の脚弾性体も含まないことも注意されるべきである。本発明によるデザインは特に限られた材料消費、良好な適合性、及び側部上の漏出の危険の低下の形で利点を与える。後部弾性バリヤー１６はまた、緩い排泄物を後方に、即ち使用者の背中の方に取り込む大きな可能性を与える。
【００２８】
腰に規定された開口にわたって後方向の漏出に対する安全性及び効果的な封止に関する要求は、特に後部弾性バリヤー１６及び二つの側部バリヤー８，９とのその相互作用によって満足される。おむつ１の後部における二つの側部バリヤー８，９の間の距離は相対的に大きいので、漏出を防止するために腰開口で効果的な封止が要求される。本発明によれば、これは特に後部バリヤー１６が上述の第五弾性要素１７（それは弾性糸からなることが好ましい）を含み、それが好ましくは少なくとも側部バリヤー８，９の最外弾性要素、即ち上述の第一弾性要素１０及び第四弾性要素１４まで延びることによって達成される。さらに正確には、縦方向側部及び後部の腰開口に沿って連続バリヤーを与える第五弾性要素１７のために取り付け点が選択される。
【００２９】
本発明によるおむつ１の概略的平面図である図２からわかるように、本発明の別の基本的特徴は第一弾性要素１０の後部取り付け点１０ｂと第三弾性要素１４の後部取り付け点１４ｂの間の距離が第一弾性要素１０の前部取り付け点１０ａと第三弾性要素１４の前部取り付け点１４ａの間の距離より大きいことである。対応するように、第二弾性要素１１の後部取り付け点１１ｂと第四弾性要素１５の後部取り付け点１５ｂの間の距離は第二弾性要素１１の前部取り付け点１１ａと第四弾性要素１５の前部取り付け点１５ａの間の距離より大きい。これは四つの弾性要素１０，１１，１４，１５が上から見ると、互いに並んで走り、各側部バリヤー８，９とともにそれらがおむつ１の後部分７からその前部分５に向かう方向で狭くなる構造を形成することを意味する。側部バリヤー８，９の互いの距離はそれゆえおむつ１の後部においてより前部において小さいことによって、おむつ１は使用者に適合することが容易である。
【００３０】
第一弾性要素１０の後部取り付け点１０ｂが（おむつ１の縦方向に沿って走る想像上の縦方向対称軸に関して見ると）第二弾性要素１１の後部取り付け点１１ｂの外側にあることが特に注意されるべきである。同様に、第三弾性要素１４の後部取り付け点１４ｂは第四弾性要素１５の後部取り付け点１５ｂの外側にある。
【００３１】
おむつ１の前部分５における弾性要素１０，１１，１４，１５の取り付けは後部分７における取り付けに類似する。従って、第一弾性要素１０の前部取り付け点１０ａは第二弾性要素１１の前部取り付け点１１ａの外側にあるが、第三弾性要素１４の前部取り付け点１４ａは第四弾性要素１５の前部取り付け点１５ａの外側にある。しかしながら、各側部バリヤー８，９の実際の材料は上記したように、おむつ１の前部分への取り付けでＺ状に折りたたまれることは注意されるべきである。
【００３２】
図１及び２からわかるように、上から見ると第二弾性要素１１のための取り付け点１１ｂ及び第一縦方向折り目８ａの外側にある点１０ｂで第一弾性要素１０がおむつ１の後部に取り付けられることによって各側部バリヤー８，９の後部が外方に折りたたまれかつ本質的に開放したカップ形状構造を形成するように設計される。対応するように、第三弾性要素１４のための取り付け点１４ｂは第四弾性要素１５のための取り付け点１５ｂの外側に及び第二縦方向折り目９ａの外側にある。この方法では、側部バリヤー８，９は使用中、効果的に持ち上がりカップ状構造を形成するだろう。これは各側部バリヤー８，９が二つの縦方向弾性要素（それぞれ１０，１１及び１４，１５）の各々をさらに含むことによって促進される。側部バリヤー８，９及び弾性要素１０，１１，１４，１５によって規定された前方向に狭くなる幾何学形状はまた、側部バリヤー８，９を延伸しかつ持ち上げることに寄与する。
【００３３】
側部バリヤー８，９が使用者の尻を包囲し、使用者におむつ１の前部を置くときにはずれないことを確実にするために、横方向外部の弾性要素１０，１４（バリヤーの外縁）の後部取り付け点１０ｂ,１４ｂの間の距離は前部での対応する距離、即ち第一弾性要素１０の前部取り付け点１０ａと第三弾性要素１４の前部取り付け点１４ａの間の距離、の少なくとも２倍、好ましくは少なくとも３倍大きくすべきである。
【００３４】
さらに、第二弾性要素１１の前部取り付け点１１ａと第四弾性要素１５の前部取り付け点１５ａの間の距離は１〜３ｃｍの範囲内であることが好ましい。この方法では、おむつ１の前部に空間が作られ、それは小さな幼児に対して十分大きいと考えられるが、それはおむつ１の適用を妨げるほど幅広くない。
【００３５】
図３は図１及び２によるおむつ１の後部の透視図を示す。さらに正確には、図３は第二側部バリヤー９の後部がどのようにおむつ１の後部に取り付けられるかを詳細に示す。この取り付けはカップ形状構造が形成されるように側部バリヤー９が開かれることを可能にする。これは第三弾性要素１４が第二側部バリヤー９の縁に沿って前方に後部バリヤー１６の下にその後部取り付け点１４ｂまで走ることによって達成される。この後部取り付け点１４ｂはかくして第二側部バリヤー９の内側に位置され、それは次に後部バリヤー１６の下に延びる。第四弾性要素１５はまた、第二側部バリヤー９に沿って前方に後部バリヤー１６の下にその後部取り付け点１５ｂまで走る。第二縦方向折り目９ａはそのとき第二側部バリヤー９が上部シート２に会う距離に沿って走り、後部バリヤー１６の下で終わる。第五弾性要素１７は後部ポケットが形成されるように第二側部バリヤー１６の後部区域を横切って走り、第五弾性要素１７は（上から見ると）第三弾性要素１４及び第四弾性要素１５の外側に一つの取り付け点１７ａを有する。
【００３６】
各側部バリヤー８，９の前部のＺに折りたたまれた構造は図４から明らかに見ることができ、それは図１の線Ｉ−Ｉによって示されるように、おむつ１の前縁で見ると、本発明によるおむつ１の横断面の幾分簡略化した概略図である。図４の左側部分はＺに折りたたまれた構成を与えるための構造の製造及び造形中の想像上の状況を示す。図４の右側部分は折りたたまれた後の構造を示す。図４はどのように第一側部バリヤー８が折りたたまれ、また第一弾性要素１０及び第二弾性要素１１を支持するかを示す。対応するように、第二側部バリヤー９は折りたたまれ、第三弾性要素１４及び第四弾性要素１５を支持する。従って、二つの折り目２２，２３は各側部バリヤー８，９に、即ち第一側部バリヤー８に第一折り目２２を、そして第二側部バリヤー９に第二折り目２３を形成される。これらの折り目２２，２３はおむつ１の内側の方に、即ちおむつ１の想像上の縦方向対称軸に向かう方向に向けられる。従って、内部弾性要素１１，１５、即ち第二弾性要素１１及び第四弾性要素１５は形成される各折り目２２，２３に又はその近くに位置される。次いで他の弾性糸１０，１４が好適であるなら内部糸１１，１５と各側部バリヤー８，９の最外縁の間に適用される。
【００３７】
それゆえ本発明の原理は、側部バリヤー８，９がそれらの各前部分がＺ形状に折りたたまれるように配置され、第二弾性要素１１及び第四弾性要素１５の前部が内部折り目２２，２３と接触して位置されることである。しかしながら、各側部バリヤー８，９の後部はかかるＺ形状の折り目を全く規定しないが、代わりに隆起された側壁を形成し、それはおむつ１のカップ形状及び漏出防止後部７に寄与する。側部バリヤー８，９がおむつ１の後部分７において開かれかつおむつ１の前部分５においてＺ形状に折りたたまれることは、おむつ１の良好な適合を確実にする。おむつはまた、使用者上に位置すること容易にし、おむつ１の使用時の側部バリヤー８，９の効果的な持ち上げ、良好な適合及び漏出に対する高度の保護を可能にする。
【００３８】
従って、各側部バリヤー８，９は各側部バリヤー８，９の前端でＺ形状構成で取り付けられる（図１参照）。Ｚに折りたたまれた部分はおむつの前縁１２から少なくとも吸収体４の前縁まで延びることが好ましい。しかしながら、本発明はこれに限定されず、代わりにＺに折りたたまれた部分は別の範囲を代替的に有することができる。
【００３９】
本発明は上記実施態様に限定されず、代わりに本発明は添付の特許請求の範囲内で変更されることができる。例えば、様々なタイプの弾性要素、例えば糸、バンド、フィルム、不織材料などを各側部バリヤー８，９に使用することができる。弾性要素の数も変化することができるが、もしそれらが糸の形であるなら、それらは少なくとも二つの数でなければならない。もし糸が使用されるなら、子供の敏感な体に対する弾性体の圧力を分配するように二つ以上の糸を側部バリヤー８，９に使用することができる。
【００４０】
もし例えば幅広い弾性体が使用されるなら、これは最も内部の弾性糸が折り目に又はその近くに適用されなければならないのと同じ方法でＺ形状の各折り目から延びるべきである。
【００４１】
これは上記されていないが、代替例によるおむつは好ましくは二つのコイル状部分の形で、前端縁１２及び後端縁１３に沿ってさらなる弾性要素を有することができる。これらの弾性要素は使用者の胃及び背中に対して近づくように形成されることができ、その手段によっておむつは使用時に望ましい適合及び快適性を獲得する。
【００４２】
本発明によるおむつは原則として弾性要素１７付きの上述の後部バリヤー１６なしで設計されることができる。このデザインディテールは使用者の背中に向かう方向で後縁１３にわたって上方に緩い排泄物を漏出する危険を減らすことに関して利点を提供するが、側部バリヤー８，９の上記利点は後部バリヤー１６が使用されるかどうかにかかわらず達成されることができることに注意されるべきである。
【図面の簡単な説明】
【００４３】
【図１】本発明が使用されることができるおむつの形の吸収物品の透視図を示す。
【図２】図１によるおむつの概略的で幾分簡略化した平面図を示す。
【図３】図１及び２によるおむつの後部のわずかに拡大された透視図を示す。
【図４】図１〜３によるおむつの前部の横断面図を示す。
【図１】
2006520250.tif 000003
【図２】
2006520250.tif 000004
【図３】
2006520250.tif 000005
【図４】
2006520250.tif 000006
【国際調査報告】
2006520250.tif 000007
2006520250.tif 000008